【手続補正書】
【提出日】平成18年8月8日(2006.8.8)
【手続補正１】
【補正対象書類名】特許請求の範囲
【補正対象項目名】全文
【補正方法】変更
【補正の内容】
【特許請求の範囲】
【請求項１】
磁気共鳴システムであって、
血液からの磁気共鳴信号を実質的に無効にする血液無効磁気共鳴励起シーケンス（７０）を実行する手段と、
読み出し磁気共鳴シーケンス（７２）を実行することにより、無効にされた該血液以外の組織からの磁気共鳴信号を取得する手段と
を含む、システム。
【請求項２】
前記血液無効磁気共鳴シーケンス（７０）を実行する手段は、
反転時間（６０）を有する反転回復磁気共鳴励起シーケンス（７０）を実行することにより、前記血液からの磁気共鳴信号を実質的に無効にする手段を含む、請求項１に記載の磁気共鳴システム。
【請求項３】
前記反転回復磁気共鳴シーケンス（７０）を実行する手段は、
反転無線周波数パルス（７４）を印加する手段と、
前記反転時間（６０）の間遅延させる手段と、
励起無線周波数パルス（８０）を印加する手段と
を含む、請求項２に記載の磁気共鳴システム。
【請求項４】
前記反転無線周波数パルス（７４）を印加する手段は、空間選択的磁気勾配パルスの付随なしに実行され、
前記励起無線周波数パルス（８０）を印加する手段は、空間選択的磁場勾配パルス（８２）を付随して実行される、請求項３に記載の磁気共鳴システム。
【請求項５】
前記反転回復磁気共鳴シーケンス（７０）を実行する手段は、
さらなる反転無線周波数パルスを印加することにより、血液を実質的に無効の状態に維持する手段をさらに含む、請求項３に記載の磁気共鳴システム。
【請求項６】
前記反転無線周波数パルス（７４）は１８０°パルスであり、
前記励起無線周波数パルス（８０）は９０°パルスである、請求項３に記載の磁気共鳴システム。
【請求項７】
血液のＴ１値を決定すること、および
該決定された血液のＴ１値に基づいて実質的に血液を無効にするための前記反転時間（６０）を選択することにより、
血液を無効にするための該反転時間（６０）を決定する手段をさらに含む、請求項２に記載の磁気共鳴システム。
【請求項８】
前記血液のＴ１値を決定することは、
代表的な血液サンプルを取得することと、
該代表的な血液サンプルの該Ｔ１値を測定することと
を含む、請求項７に記載の磁気共鳴システム。
【請求項９】
前記血液のＴ１値を決定することは、
該血液のヘマトクリットを決定することと、
該決定されたヘマトクリットに関する該血液のＴ１値を補正することと
をさらに含む、請求項７に記載の磁気共鳴システム。
【請求項１０】
少なくとも主要磁場強度と反復時間とを同定する手段と、
前記血液を無効にするための反転時間と、該同定された主要磁場強度および反復時間との間の所定の関係（６４）に基づいて該血液を無効にする該反転時間（６０）を決定する手段と
をさらに含む、請求項２に記載の磁気共鳴システム。
【請求項１１】
較正反転回復磁気共鳴励起シーケンスの反転時間を最適化することにより、大きな血管の磁気共鳴信号を最小化する手段と、
該較正反転回復磁気共鳴励起シーケンスの最適化された該反転時間として、血液を無効にするための前記反転時間（６０）を選択する手段（６６）と
をさらに含む、請求項２に記載の磁気共鳴システム。
【請求項１２】
前記取得した磁気共鳴信号から再構成された画像を作製する手段をさらに含む、請求項２に記載の磁気共鳴システム。
【請求項１３】
前記読み出し磁気共鳴シーケンスを実行し、生理的摂動を誘導する手段と、
該生理的摂動を誘導し、前記反転回復磁気共鳴励起シーケンス（７０）を実行すること、および前記読み出し磁気共鳴シーケンス（７２）を実行することを反復することにより、前記無効にされた血液以外の組織からの第２の磁気共鳴信号を取得する手段と、
該取得した第２の磁気共鳴信号から摂動再構成された画像を作製する手段と
をさらに含む、請求項１２に記載の磁気共鳴システム。
【請求項１４】
前記読み出し磁気共鳴シーケンス（７２）を実行し、生理的摂動を誘導する手段と、
該生理的摂動を誘導し、前記反転回復磁気共鳴励起シーケンス（７０）を実行することを反復する手段と、
該反転回復磁気共鳴励起シーケンス（７０）の実行を反復し、各々が異なるエコー時間を有する複数の読み出し磁気共鳴シーケンス（７２）を実行し、該複数のエコー時間に対応する複数の磁気共鳴信号を取得する手段と、
複数の摂動再構成された画像を、該複数のエコー時間に対応する該取得した複数の磁気共鳴信号から作製する手段と、
該複数の摂動再構成された画像に基づいて該生理的摂動への生理的反応の一時的発展を決定する手段と
をさらに含む、請求項１２に記載の磁気共鳴システム。
【請求項１５】
前記一時的発展を決定する手段は、
摂動再構成された画像とエコー時間毎に対応する非摂動再構成された画像との間の血管の空間占有率信号の変化を計算することにより、エコー時間データ（１０６）に対する血管の空間占有率信号の変化を生成する手段と、
該エコー時間データ（１０６）に対する血管の空間占有率信号の変化を、数理モデルに一致させることにより、血液容量パラメーター値（１１８）を取得する手段と
を含む、請求項１４に記載の磁気共鳴システム。
【請求項１６】
組織のＴ１値（１３２、１３４）を決定する手段と、
該組織のＴ１値（１３２、１３４）に基づいて組織磁化（Ｍ）を計算する手段と、
該組織磁化によって前記再構成された画像を除することによって、正規化された再構成の画像（１４２）を作製する手段と、
該正規化された再構成の画像（１４２）に基づいて血液容量パラメーター値（１４６）を推定する手段と
をさらに含む、請求項１２に記載の磁気共鳴システム。
【請求項１７】
前記再構成された画像は被験体の脳領域に対応し、
前記組織のＴ１値（１３２、１３４）を決定する手段は、
脳白質に対応する第１のＴ１値（１３２）を決定する手段と、
脳灰白質に対応する第２のＴ１値（１３４）を決定する手段と
を含み、
前記組織磁化により前記再構成された画像を除することは、画像素子毎に該第１のＴ１値（１３２）および該第２のＴ１値（１３４）から、局所組織タイプの分類に基づいて、脳白質および脳灰白質のうちの１つとして選択した１つを用いる、請求項１６に記載の磁気共鳴システム。
【請求項１８】
前記読み出し磁気共鳴シーケンス（７２）を実行する手段は、被験体の脳の対象脳領域を画像化することに効果を有し、
前記磁気共鳴システムは、
基準脳領域の基準画像（１５２）を提供する手段と
前記再構成された画像を該基準画像（１５２）と比較することにより、該対象脳領域の異常性を検出する手段と
をさらに含む、請求項１２に記載の磁気共鳴システム。
【請求項１９】
前記基準脳領域の基準画像（１５２）を提供する手段は、
前記反転回復磁気共鳴励起シーケンス（７０）を実行する手段と、
前記読み出し磁気共鳴シーケンス（７２）を実行する手段と、
該基準脳領域に前記再構成された画像を作製することにより、該基準画像（１５２）を作製する手段と
を含む、請求項１８に記載の磁気共鳴システム。
【請求項２０】
前記基準脳領域は、
前記対象脳領域に対応する前記被験体の脳の対側性側面の脳領域と、
該対象脳領域に対応する該被験体の脳以外の脳の脳領域と、
該対象脳領域以外の該被験体の脳の脳領域と
から成るグループから選択される、請求項１９に記載の磁気共鳴システム。
【請求項２１】
組織の光子密度重み、組織のＴ１重み、および組織のＴ２重みのうちの少なくとも１つを、前記再構成された画像に基づいて血液の磁気共鳴信号から干渉されずに計算する手段をさらに含む、請求項１２に記載の磁気共鳴システム。
【請求項２２】
前記読み出し磁気共鳴シーケンス（７２）を実行する手段は、
シングルショット画像化シーケンスと、
シングルショットエコー平面シーケンスと、
マルチショット画像化シーケンスと、
分光シーククエンスと、
複数スライス画像と、
一次元、二次元、または三次元の空間的エンコーディングシーケンスと、
部分的ｋ空間取得シーケンスと、
スピンエコー読み出しシーケンスと、
勾配エコー読み出しシーケンスと
のうち１つ以上を実行することを含む、請求項２に記載の磁気共鳴システム。
【請求項２３】
血液無効磁気共鳴励起シーケンス（７０）を実行する血液無効手段（１０、１２、１６、１８、３０、３２、３４）であって、該血液無効磁気共鳴励起シーケンス（７０）は、血液からの磁気共鳴信号を実質的に無効にする、血液無効手段と、
読み出し磁気共鳴シーケンス（７２）を実行して無効にされた該血液以外の組織からの磁気共鳴信号を取得するための読み出し手段（１０、１２、１６、１８、３０、３２、３６）であって、該読み出し手段（１０、１２、１６、１８、３０、３２、３６）は、該血液無効手段（１０、１２、１６、１８、３０、３２、３４）の実行の後に実行する手段と
を含む、磁気共鳴システム。
【請求項２４】
前記血液無効手段（１０、１２、１６、１８、３０、３２、３４）は、
反転時間（６０）を有する反転回復磁気共鳴励起シーケンス（７０）を実行する反転回復手段（１０、１２、１６、１８、３０、３２、３４）であって、該反転時間に、血液の磁気共鳴は実質的に無効である手段を含む、請求項２３に記載の磁気共鳴システム。
【請求項２５】
少なくとも磁場強度値と反復時間値とを含む一組の値に基づいて前記反転時間（６０）を決定する手段（６４）をさらに含む、請求項２４に記載の磁気共鳴システム。
【請求項２６】
血液のＴ１値を測定する手段（６２）であって、前記反転時間（６０）が該測定された血液のＴ１値から得られる手段をさらに含む、請求項２４に記載の磁気共鳴システム。
【請求項２７】
前記取得した磁気共鳴信号から再構成された画像を作製する再構成手段（４４）をさらに含む、請求項２４に記載の磁気共鳴システム。
【請求項２８】
前記再構成された画像から血液容量パラメーター値（１１８、１４６）を計算する手段（１００、１３０）をさらに含む、請求項２７に記載の磁気共鳴システム。
【請求項２９】
前記血液容量パラメーター値（１１８、１４６）を計算する手段（１３０）は、
組織のＴ１値（１３２、１３４）に基づいて再構成された画像を正規化することにより、組織正規化された再構成の画像を作製する手段（１３６、１４０）と、
該組織正規化された再構成画像から該血液容量を計算する手段（１４４）と
を含む、請求項２８に記載の磁気共鳴システム。
【請求項３０】
前記血液容量パラメーター値（１１８、１４６）を計算する手段（１００）は、
対応する複数のエコー時間（１０２）を有する前記読み出し手段と前記再構成手段とを繰り返し呼び出すことによって作製された複数の再構成された画像の血液容量に機能的に関連する中間パラメーター（１０６）を計算する手段（１０４）と、
パラメーター化されたモデルを、該中間パラメーター（１０６）および該対応するエコー時間（１０２）に一致させる手段（１１０）であって、該パラメーター化されたモデルは、静止部の血液容量（１１８）および血液容量変化（１２４）を含むパラメーターを有する手段と
を含む、請求項２８に記載の磁気共鳴システム。
【請求項３１】
前記再構成された画像を基準画像（１５２）と組み合わせることにより、該再構成された画像に異常性を同定する手段（１５４）をさらに含む、請求項２７に記載の磁気共鳴システム。